(57)【要約】      （修正有）【課題】縦型重量物の据え付け環境を考慮しながら、形態が同一のみならず、異なる形態の脚固定金具も自由に組み合わせて配設し、耐震性の向上を図った縦型重量物の転倒防止構造を提供する。【解決手段】少なくとも一つの水平案内長孔は、始端と終端を有する直線部分と、前記終端を始端として該直線部分に連通する交差線部分とから成り、縦型重量物の据え付け時、該一つの水平案内長孔に対して、形態が同一か、又は異なる形態の脚固定金具のいずれかを選択的に転倒防止板から食み出ないように位置付け、かつ選択された脚固定金具は、固着具を介して長板状転倒防止板上に固定される縦型重量物の転倒防止構造。【選択図】図９
0003144028.tif 000002
【実用新案登録請求の範囲】
【請求項１】
縦型重量物の前後の脚部を、前側の水平案内長孔と後側の水平案内長孔を同一ライン上に有する長板状の転倒防止板、前記水平案内長孔を基準として前記転倒防止板上に位置付けられる脚固定金具及び該脚固定金具を前記転倒防止板上に固定する固着具を介して屋内に固定する縦型重量物の転倒防止構造に於いて、前記水平案内長孔の少なくとも一つの水平案内長孔は、始端ａと終端ｂを有する直線部分と、前記終端ｂを始端として該直線部分に連通する交差線部分とから成り、縦型重量物の据え付け時、該一つの水平案内長孔に対して、前記固着具の固定ボルトは、前記交差線部分の始端に相当する前記終端ｂと該交差線部分の終端ｃの間に位置することを特徴とする縦型重量物の転倒防止構造。
【請求項２】
請求項１に於いて、一つの水平案内長孔５は、長板状転倒防止板の後端部のコーナー付近に形成され、交差線部分５ｂの終端ｃは、直線部分５ａの始端ａ或は終端ｂよりも内側（長板状転倒防止板の他辺側）に位置していることを特徴とする縦型重量物の転倒防止構造。
【請求項３】
請求項１に於いて、一つの水平案内長孔に対して、その縦型重量物の脚部差込み用直線状切欠部が転倒防止板の幅方向（Ｘ軸方向）に指向するＥ型脚固定金具、又は前記脚部差込み用直線状切欠部が転倒防止板の前後方向（Ｙ軸方向）に指向するＳ型脚固定金具が選択的に配設され、配設された当該脚固定金具は、前記転倒防止板から食み出ないことを特徴とする縦型重量物の転倒防止構造。
【請求項４】
請求項１に於いて、前側の水平案内長孔には、Ｅ型脚固定金具が長板状転倒防止板の前後方向と直交するＸ軸方向に配設され、これに対して、後側の直線部分に連通する交差線部分を有する一つの水平案内長孔には、Ｓ型脚固定金具が、その脚部差込み用直線状切欠部をＹ軸方向に指向するように、かつ長板状転倒防止板の縁部から食み出ないように配設されることを特徴とする縦型重量物の転倒防止構造。
【考案の詳細な説明】
【技術分野】
【０００１】
本考案は、縦型重量物、例えば底部の外面に複数本の脚部を有する屋内据え付け型の自動販売機、電子機器等の縦型重量物を、複数の脚固定金具を介して固定する縦型重量物の転倒防止構造に関する。
【背景技術】
【０００２】
特許文献１には、「自動販売機１の前後の脚部２に取り付けられる脚固定金具６に、ねじ部材７により着脱自在に固定される板状の自動販売機の転倒防止板であって、防止板本体３の中央部には、その本体の長手方向に延びて脚固定金具６のねじ部材７をスライド自在にガイドする長穴部１５，１６が形成され、この長穴部には、ねじ部材７の空回りを防止する断面凹所状の回り止め機構（ボルト用貫通孔に連通する下向き凹所）が設けられ、防止板の周囲には、端縁に向かうに従って漸次薄肉となる面取り部１９が形成されている事項（符号は特許文献１のもの）」が開示されている。
【０００３】
この特許文献１に記載の固着具（ねじ部材）７用の水平案内長孔（長穴部）は、前側（一方）の水平案内長孔１５と、該水平案内長孔１５のライン上に位置する後側（他方）の水平案内長孔１６とを含むが、両方の水平案内長孔１５，１６は、それぞれ防止板本体３の一辺の長手方向に所定間隔を有して直線状に形成されている。
【０００４】
ところで、自動販売機１の前後の脚部２を、左右一組の長板状転倒防止板、複数個の脚固定金具６及び複数個の固着具７でもって、例えば建物の地階や１階の床面に固定（据付）する場合、これらの脚固定金具６のタイプとしては、例えば「Ｅ型脚固定金具（特許文献１に記載のもの）」と「Ｓ型脚固定金具」とが存在するが、この特許文献１に記載の転倒防止板は、前後の水平案内長孔１５，１６は、前述したように防止板本体３の一辺の長手方向に沿って直線状に形成されているために、「Ｓ型脚固定金具」を所望するような角度に位置付けで使用することが困難であった。また、「Ｓ型脚固定金具」を直線状の水平案内長孔１５，１６のいずれかに位置付けると、長板状転倒防止板の縁部から食み出るという問題点があった。そのために、特許文献１に記載の転倒防止構造は、自動販売機の左右の脚部の幅寸法が所定のものにしか対応しない。
【０００５】
付言すると、特許文献１のものは、自動販売機の左右の脚部の幅寸法に関らず、どの位置でも固定することができない、Ｓ型脚固定金具の食み出し部分が邪魔になる等の欠点があった。また、特許文献１のものは、脚固定金具６のねじ部材７用長孔６ｃ並びに自動販売機の脚部２差込み用直線状切欠部６ａを防止板本体３の直線状水平案内長孔１５，１６にそれぞれ符合するように防止板本体３の前後にＥ型脚固定金具をそれぞれ固定する必要があるので、例えば前側のＥ型脚固定金具を直線状水平案内長孔１５に沿って固定し、これに対して後側のＥ型脚固定金具を直線状水平案内長孔１６に直交するように固定することが実状では困難であった。
【０００６】
すなわち、特許文献１のものは、防止板本体３に対する前後のＥ型脚固定金具６の配設態様は、例えば防止板本体３の長手方向に沿う方向（同一方向）に限定され、その結果、地震の際に発生するＸ軸方向（防止板本体３の幅方向）及びＹ軸方向（防止板本体３の長手方向）の両方向に対応するように前後のＥ型脚固定金具６を防止板本体３上に配設することができないという欠点があった。
【０００７】
また、特許文献２には、「防止板本体の中央部の両端部（中央部寄りの部位も含む）に、固着具（ねじ部材）用のねじ孔を長手方向に等間隔を有して複数個穿設する事項」が開示されている。
【０００８】
この特許文献２には、本考案のように、前後のＥ型脚固定金具６の配設方向をＸ軸方向とＹ軸方向に成るように互いに組み合わせる、又は前側に脚固定Ｅ型脚固定金具６をＸ軸方向に配設し、これに対して後側にＳ型脚固定金具を、その自動販売機の脚部差込み用直線状切欠部をＹ軸方向に指向するように、かつ防止板の周囲から食み出ないように配設するというような考え方は記載されていないと共に、該転倒防止板も、特許文献１と同様に、固着具（ねじ部材）用のねじ孔は、特許文献１と同様に防止板本体の一辺の長手方向に沿って直線状に点在するために、特許文献１と同様の問題点を有していた。
【特許文献１】実公平７−４５８２５号公報
【特許文献２】実用新案登録第３０７８５４２号公報
【考案の開示】
【考案が解決しようとする課題】
【０００９】
考案が解決しようとする問題点は、まず、特許文献１や特許文献２の有する問題点、特に、例えば自動販売機の左右の脚部の幅寸法が限定されるという問題点を解消し、自動販売機の左右の脚部の幅寸法に関らず、安定的に固定することができる縦型重量物の転倒防止構造を提案することである。
【００１０】
次に、前後にＥ型脚固定金具（同一形態の固定金具）を配設する場合には、該直線部分に連通する交差線部分を有する一つの水平案内長孔に対しては、Ｅ型脚固定金具を長板状転倒防止板のＸ軸方向（転倒防止板の幅方向）に配設することができることである。付言すると、同一形態の固定金具を二方向に組み合わせて配設することができることである。
さらに、直線部分に連通する交差線部分を有する一つの水平案内長孔に対しては、Ｅ型脚固定金具に拘泥しないで、いわゆる選択的にＳ型脚固定金具を、その自動販売機の脚部差込み用直線状切欠部をＹ軸方向に指向するように、かつ転倒防止板の縁部から食み出ないように配設することもできることである。
【課題を解決するための手段】
【００１１】
本考案の縦型重量物の転倒防止構造は、縦型重量物の前後の脚部を、前側の水平案内長孔と後側の水平案内長孔を同一ライン上に有する長板状の転倒防止板、前記水平案内長孔を基準として前記転倒防止板上に位置付けられる脚固定金具及び該脚固定金具を前記転倒防止板上に固定する固着具を介して屋内に固定する縦型重量物の転倒防止構造に於いて、前記水平案内長孔の少なくとも一つの水平案内長孔は、始端ａと終端ｂを有する直線部分と、前記終端ｂを始端として該直線部分に連通する交差線部分とから成り、縦型重量物の据え付け時、該一つの水平案内長孔に対して、前記固着具の固定ボルトは、前記交差線部分の始端に相当する前記終端ｂと該交差線部分の終端ｃの間に位置することを特徴とする。
【００１２】
上記構成に於いて、一つの水平案内長孔５は、長板状転倒防止板の後端部のコーナー付近に形成され、交差線部分５ｂの終端ｃは、直線部分５ａの始端ａ或は終端ｂよりも内側（長板状転倒防止板の他辺側）に位置していることを特徴とする。また、一つの水平案内長孔に対して、その縦型重量物の脚部差込み用直線状切欠部が転倒防止板の幅方向（Ｘ軸方向）に指向するＥ型脚固定金具、又は前記脚部差込み用直線状切欠部が転倒防止板の前後方向（Ｙ軸方向）に指向するＳ型脚固定金具が、選択的に配設され、配設された当該脚固定金具は、前記転倒防止板から食み出ないことを特徴とする。固定金具の配設態様として、前側の水平案内長孔には、Ｅ型脚固定金具が長板状転倒防止板の前後方向と直交するＸ軸方向に配設され、これに対して、後側の直線部分に連通する交差線部分を有する一つの水平案内長孔には、Ｓ型脚固定金具が、その脚部差込み用直線状切欠部をＹ軸方向に指向するように、かつ長板状転倒防止板の縁部から食み出ないように配設されることを特徴とする。
【考案の効果】
【００１３】
（ａ）前後に同一形態のＥ型脚固定金具を配設する場合には、地震の際に発生するＸ軸方向（転倒防止板の幅方向）及びＹ軸方向（転倒防止板の長手方向）の両方向に対応するように、直線部分に連通する交差線部分を有する一つの水平案内長孔に対しては、Ｅ型脚固定金具を転倒防止板のＸ軸方向に配設することができる。
（ｂ）また、前後に異なる形態のＥ型脚固定金具とＳ型脚固定金具とをそれぞれ組み合わせて使用する場合には、直線部分に連通する交差線部分を有する一つの水平案内長孔に対しては、Ｅ型脚固定金具に拘泥しないで、いわゆる選択的にＳ型脚固定金具を、その自動販売機の脚部差込み用直線状切欠部をＹ軸方向に指向するように、かつ転倒防止板の縁部から食み出ないように配設することもできる。
（ｃ）したがって、本考案は、自動販売機の据え付け場所を考慮しながら、形態が同一のみならず、異なる形態の脚固定金具（例えばＥ型脚固定金具とＳ型脚固定金具）も自由に組み合わせ、耐震性の向上を図ることができる。
（ｄ）転倒防止板の後方側の一つの水平案内長孔に対してＳ型脚固定金具を選択した際、予めＳ型脚固定金具を転倒防止板に固定してから自動販売機の脚部をＳ型脚固定金具の脚部差込み用直線状切欠部へと滑り込ませることができるので、自動販売機を室内の壁面に対向するように設置することができる。したがって、設置作業能率の向上を図ることができる。
（ｅ）Ｓ型脚固定金具が長板状転倒防止板の縁部から食み出ないように配設される実施例の場合には、長板状の転倒防止板１の一辺１ａに密着するように他の長板状転倒防止板を並べることができるので、屋内の設置スペースを有効的に活用することができる。
【００１４】
特に、図９で示すように、一つの水平案内長孔５が、長板状転倒防止板１の後端部３のコーナー付近に形成され、その交差線部分５ｂの終端ｃは、直線部分５ａの始端ａ或は終端ｂよりも内側（長板状転倒防止板の他辺側）に位置し、Ｓ型脚固定金具の指先状のフック部分１６が前記転倒防止板１の一辺１ａが食み出ないような状態で、かつ固着具７の固定ボルト７ａが、前記交差線部分の始端に相当する前記終端ｂと該交差線部分の終端ｃの間に位置する実施例の場合には、左右一組の長板状転倒防止板１、１を、例えば自動販売機の幅に対応させて敷設するとこができると共に、長板状転倒防止板１の一辺１ａに接触することができるように他の図示しない長板状転倒防止板を敷設することができることから、屋内の設置スペースを有効的に活用することができる。
【考案を実施するための最良の形態】
【００１５】
図１乃至図１０を参照にして本考案の縦型重量物の転倒防止構造を説明する。図１は平面視からの概略説明図で、縦型重量物（例えば自動販売機）２１は仮想線で示してある。転倒防止構造は、左右対称の長板状転倒防止板及び脚固定金具は、物品に関する同一の技術思想なので、ここでは、左側の転倒防止構造を基準に説明し、右側の同一構成部分には同一符号を付してその説明を省略する。
【００１６】
背景技術に於いて、特許文献１を例に挙げて説明したように、例えば自動販売機２１の転倒防止構造は、自動販売機の前後の脚部２２を、左右の長板状転倒防止板１と、前後の脚固定金具（６、６Ａ）と、複数個の固着具７を用いて固定する。
【００１７】
したがって、本考案の縦型重量物２１の転倒防止構造は、「縦型重量物２１の前後の脚部２２を、前側の水平案内長孔と後側の水平案内長孔とを同一ライン上に有する長板状転倒防止板、前記水平案内長孔を基準として長板状転倒防止板上に位置付けられる脚固定金具及び該脚固定金具を前記長板状転倒防止板上に固定する固着具を介して屋内に固定する事項（構成）」を前提条件とする。
【００１８】
さて、図１では、長板状転倒防止板１の前側の水平案内長孔４と後側の水平案内長孔５に同一形態のＥ型脚固定金具６、６を互いに異なる方向（ニ方向）に配設した一例を示している。
【００１９】
すなわち、長板状転倒防止板１の上面の前後の水平案内長孔４、５に同一形態のＥ型脚固定金具６、６を配設する場合には、地震の際に発生するＸ軸方向（転倒防止板の幅方向）及びＹ軸方向（転倒防止板の前後・長手方向）の両方向に対応するように、直線部分５ａに連通する交差線部分５ｂを有する後側の一つの水平案内長孔５に対しては、一つのＥ型脚固定金具６を、その脚部差込み用直線状切欠部１１を転倒防止板１の一辺１ａ側に向けた状態で転倒防止板のＸ軸方向に配設する。
【００２０】
そこで、まず、長板状転倒防止板１の構成を説明する。長板状転倒防止板１は、鋼板材料等により長尺状に形成されており、その先端部２は、端縁に向かうに従って平面視Ｕ字形状の漸次薄肉となるように面取りされている。この面取りされた先端部２から後端部３までは同一幅であり、前記先端部２寄りの部位には、特許文献１（従来技術）と同様に、転倒防止板１の長手方向の一辺１ａに沿うように直線状の水平案内長孔（ここでは「第１案内長孔」という。）４が形成されている。この第１案内長孔４は、説明の便宜上「１本」だけ図面に示したが、同一線上に「もう１本（合計２本）」設けても良い。また、前記後端部３には一つの水平案内長孔（ここでは「第２案内長孔」という。）５が形成され、該一つの第２案内長孔５は、前記第１案内長孔４と同一線上に位置する直線部分５ａと、該直線部分５ａに連通する交差線部分５ｂを有する。
【００２１】
ここで、図３の平面図を参照にして一つの水平案内長孔５の構成について付言すると、第２案内長孔５は、始端ａと終端ｂを有する直線部分５ａと、前記終端ｂを始端として該直線部分５ａに連通する交差線部分５ｂとから成り、前記交差線部分５ｂの終端ｃは、直線部分５ａの始端ａ或はその終端ｂを基準にすると、内側（長板状転倒防止板の他辺１ｂ側）に位置している。
【００２２】
本実施例では、一つの水平案内長孔５は、外観上「ブーメラン形状」或は「く」の字形状を呈している。そして、縦型重量物２１の据え付け時、該第２案内長孔５に対して、少なくとも「固着具７の固定ボルト７ａ用の係合孔を有するＥ型脚固定金具６」又は「固着具７の固定ボルト７ａ用のフック部分を有するＳ型脚固定金具６Ａ」のいずれかを選択的に位置付け、かつ選択された脚固定金具（６、６Ａ）は、前記固着具７を介して長板状転倒防止板上に固定される。なお、これらの脚固定金具（６、６Ａ）は、それぞれ「二方向」に使用することが可能である。
【００２３】
しかして、前記第１案内長孔４及び第２案内長孔５は、図５（裏面）、図６（第１案内長孔４の断面）及び図７（第２案内長孔５の断面）で示すように、比較的小さな矩形状のボルト頭部の角部分を係止することができるように段差状に形成されている。
【００２４】
付言すると、第１案内長孔４及び第２案内長孔５は、固着具７を構成する固定ボルト７ａが回転しないように、幅の大きい不番の下部開口溝と、該下部開口溝に連通すると共に該下部開口溝の幅より狭い幅の不番の上部開口溝とから成っている。
【００２５】
次に、図８を参照にして、脚固定金具の選択肢の一例であるＥ型脚固定金具６の構成を簡単に説明する。Ｅ型脚固定金具６は、特許文献１（従来技術）と略同一である。このＥ型脚固定金具６は長板状転倒防止板１の上面に載置された自動販売機２１の脚部２２を該転倒防止板１に係止状態に連結するために用いられるもので、鋼製等からなる外観上長方形状の部材である。
【００２６】
すなわち、Ｅ型脚固定金具６は、長板状の上壁部分６ａと、この上壁部分の周縁に連設する下面側の短い端板部６ｂとを有し、前記一端部には、その長さ方向に固着具７の固定ボルト７ａが貫通する調整長孔１０が形成されている。また、調整長孔１０に対して所定間隔を有して脚部差込み用直線状切欠部１１が他端部側の中央部から所定量形成されている。
【００２７】
したがって、ここでの「Ｅ型脚固定金具６」は、固着具７の固定ボルト７ａ用の貫通孔（例えば調整長孔１０）と自動販売機２１の脚部２２を差し込むための脚部差込み用直線状切欠部１１とを有し、固着具７（固定ボルト７ａとナット７ｂ）でもって長板状転倒防止板１の上面に固着され、かつその外観上の連想・機能上の印象がＥ型の部材をいう。なお、Ｅ型脚固定金具６の細部的事項は当業者にとって自明事項なので、その詳細な説明は割愛する。
【００２８】
最後に、複数個の固着具７は、図２、図５で示すように、固定ボルト７ａと、この固定ボルト７ａに螺着するナット７ｂとから成り、本実施例では、前述した第１案内長孔４及び第２案内長孔５に対して、固定用ボルト７ａを、その頭部を下方に位置させて下部開口溝に係合させた状態で各案内長孔をそれぞれ貫通させ、上向きの螺杆部分にナット７ｂを螺合する。
【００２９】
ところで、自動販売機２１を屋内に設置する場合には、当然のことながら、まず、自動販売機２１の設置場所、当該設置場所での左右の長板状転倒防止板１，１の間隔、長板状転倒防止板に対する脚部２１の位置等を決め、そして、予め固定用ボルト７ａを転倒防止板１，１の各案内長孔４、５に下側から貫通させておく。
【００３０】
次に、図１で示すように左右の長板状転倒防止板１を、所要間隔離間して床面上に設置したならば、左右の長板状転倒防止板１の上面の測定した箇所（ポイント）に前記脚部２２が位置するように自動販売機２１を適宜に載せる。この時、前後の脚部２２は第１案内長孔４の所と第２案内長孔５の付近に位置付けられる。
【００３１】
前後の脚部２２が測定した箇所に位置したならば、図１で示すように、前側の水平案内長孔４には、一つのＥ型脚固定金具６が、その脚部差込み用直線状切欠部１１が長板状転倒防止板の長手方向（Ｙ軸方向）を指向するように調節配設され、これに対して、後側の一つの水平案内長孔５には、他のＥ型脚固定金具６が、その脚部差込み用直線状切欠部１１が長板状転倒防止板の幅方向（Ｘ軸方向）を指向するように、かつ長板状転倒防止板の縁部から食み出ないように調節配設される。
【００３２】
そして、前後の脚部Ｚを連結した合計４個のＥ型脚固定金具６は、各案内長孔４、５を貫通している各固定用ボルト７ａにそれぞれナット７ｂを螺合させることにより長板状の転倒防止板１の上面に固定される。この時、後側のＥ型脚固定金具６は、その脚部差込み用直線状切欠部１１が長手方向の一辺１ａを指向しているので、固着具７の固定用ボルト７ａは、第２案内長孔５の交差部分５ｂに位置している。
【００３３】
付言すると、自動販売機２１の後側の脚部２２は、第１案内長孔４のライン上に位置しているのに対して、前記固定用ボルト７ａはそれよりも内側に位置している。
【実施例】
【００３４】
本考案に各説明図に於いて、後側の一つの水平案内長孔５は、外観上「ブーメラン形状」或は「く」の字形状を呈しているが、もちろん、この形状に限定するものではなく、考案の目的を逸脱しない範囲に於いて、交差線部分５ｂは、任意の角度に設定することができる。また、一つの水平案内長孔５は、望ましくは長板状転倒防止板の後端部のコーナー付近に形成され、交差線部分５ｂの終端ｃは、直線部分５ａの始端ａ或は終端ｂよりも内側（長板状転倒防止板の他辺側）に位置しているが、必ずしも前記後端部のコーナー付近に形成する必要はない。
【００３５】
次に、図９は、図１と同様に説明図である。この図９では、Ｅ型脚固定金具６とＳ型脚固定金具６Ａを組み合わせて使用している。このＳ型脚固定金具６Ａは、普通一般にＥ型脚固定金具６よりも強靭であることや自動販売機の据え付け場所（壁面に接近するように自動販売機の設置する場合の作業性）を考慮した場合に於いて、設置作業の容易性等の理由から、長板状転倒防止板１の後側にＥ型脚固定金具６ではなく、Ｓ型脚固定金具６Ａが選択的に採用され得る。
【００３６】
図１０は、固着具７の固定ボルト７ａ用のフック部分を有するＳ型脚固定金具６Ａの一例を示す。Ｅ型脚固定金具６との主な相違点について説明すると、このＳ型脚固定金具６Ａは、前記固定ボルト７ａ用の調整長孔１０Ａを有する幅広ベース部分１５と、この幅広ベース部分１５の一端縁部から指を内側に折り曲げたように延在するフック部分１６とを有し、Ｓ型脚固定金具６Ａを第２案内長孔５の交差線部分５ｂに前記固定ボルト７ａを差し込んで長板状転倒防止板１上に固定した場合に、前記指状フック部１６が長板状転倒防止板１の縁部から食み出ない。
【００３７】
したがって、ここでの「Ｓ型脚固定金具」とは、固定ボルト７ａ用の調整長孔１０Ａを有する幅広ベース部分１５と、この幅広ベース部分１５の一端縁部から指を内側に折り曲げたように延在するフック部分１６とを有する部材を言う。
【００３８】
図９を参照にして固定金具の使用態様について説明すると、前側の水平案内長孔（第１案内長孔）４には、Ｅ型脚固定金具６が長板状転倒防止板１と直交するＸ軸方向に配設され、これに対して、後側の直線部分５ａに連通する交差線部分５ｂを有する一つの水平案内長孔（第２案内長孔）５には、Ｓ型脚固定金具６Ａが脚部差込み用直線状切欠部１１ＡをＹ軸方向に指向するように、かつ長板状転倒防止板１の縁部から食み出ないように配設される。
【００３９】
ところで、Ｓ型脚固定金具６Ａを採用した場合には、Ｓ型脚固定金具６Ａは、自動販売機２１を転倒防止板１に載置する前に固着具７を介して転倒防止板１に先に固定しておき、しかる後に、自動販売機２１の脚部２２をＳ型脚固定金具６Ａの脚部差込み用直線状切欠部１１Ａに滑り込ませるようにして連結する。
【００４０】
したがって、本考案は、壁面に接近するように設置する必要性等の自動販売機２１の据え付け環境を考慮しながら、形態が同一のみならず、異なる形態の脚固定金具（例えばＥ型脚固定金具とＳ型脚固定金具）も自由に組み合わせ、耐震性の向上を図ることができる。
【産業上の利用可能性】
【００４１】
本考案は、自動販売機等の据え付け業者に利用される。
【図面の簡単な説明】
【００４２】
【図１】同一形態のＥ型脚固定金具６、６を互いに異なる方向に配設した一例を示す平面視からの概略説明図。
【図２】図１の使用態様における分解斜視図。
【図３】転倒防止板１の概略平面図（要部の拡大部分を含む）。
【図４】転倒防止板１の概略背面図。
【図５】転倒防止板１の概略背面の斜視図と固着具の説明図。
【図６】第１案内長孔４の断面図。
【図７】第２案内長孔５の断面図。
【図８】Ｅ型脚固定金具６の説明図。
【図９】Ｅ型脚固定金具６とＳ型脚固定金具６Ａを組み合わせた使用例の平面視からの概略説明図。
【図１０】Ｓ型脚固定金具６Ａの説明図。
【符号の説明】
【００４３】
２１…縦型重量物（例えば自動販売機）、２２…自動販売機の前後の脚部、１…転倒防止板、１ａ…転倒防止板１の一辺、２…先端部、３…後端部、４…前側の水平案内長孔（第１案内長孔）、ａ…前側の水平案内長孔の始端、ｂ…前側の水平案内長孔の終端、５…後側の水平案内長孔（第２案内長孔）、ｃ…交差線部分５ｂの終端、５ａ…直線部分、５ｂ…交差線部分、６、６Ａ…脚固定金具、７…固着具、７ａ…固定ボルト、７ｂ…ナット、１０，１０Ａ…調整長孔、１１、１１Ａ…脚部差込み用直線状切欠部。
【図１】
0003144028.tif 000003
【図２】
0003144028.tif 000004
【図３】
0003144028.tif 000005
【図４】
0003144028.tif 000006
【図５】
0003144028.tif 000007
【図６】
0003144028.tif 000008
【図７】
0003144028.tif 000009
【図８】
0003144028.tif 000010
【図９】
0003144028.tif 000011
【図１０】
0003144028.tif 000012